(57)【要約】      （修正有）【課題】簡易な構成で、農業用支柱の抜き取り作業を迅速かつ容易に行うことができる農業用支柱抜取具を提供する。【解決手段】係止部１１を有する農業用支柱Ｓに沿ってその側方に配置される支点受け部２１を有する支点受け部材２０と、前記支点受け部材２０の支点受け部２１に支承される支点部３１を備えかつ先端部に支柱Ｓの係止部１１に係合する係合部３２を有するてこ部材３０とからなり、係止部１１が係止突部１３を有する係止部材１２を支柱Ｓに固着することによって形成されている農業用支柱抜取具。【選択図】図１
0003148407.tif 000002
【実用新案登録請求の範囲】
【請求項１】
係止部を有する農業用支柱に沿ってその側方に配置される支点受け部を有する支点受け部材と、
前記支点受け部材の支点受け部に支承される支点部を備えかつ先端部に前記支柱の係止部に係合する係合部を有するてこ部材
とからなることを特徴とする農業用支柱抜取具。
【請求項２】
前記係止部が係止突部を有する係止部材を前記支柱に固着することによって形成されている請求項１に記載の農業用支柱抜取具。
【請求項３】
前記支点受け部材が棒状本体部を有し、下部に地面への差込部と固定板部を有する請求項１又は２に記載の農業用支柱抜取具。
【請求項４】
前記支点受け部材が複数の支点受け部を有する請求項１ないし３のいずれか１項に記載の農業用支柱抜取具。
【請求項５】
前記てこ部材の係合部が二股部よりなる請求項１ないし４のいずれか１項に記載の農業用支柱抜取具。
【請求項６】
前記てこ部材が後端部に開口部を有する筒状部材からなり、前記支柱の立設時に支柱上端を打ち込み可能に構成されている請求項１ないし５のいずれか１項に記載の農業用支柱抜取具。
【請求項７】
前記てこ部材が直棒状本体部を有し、前記支点部が前記棒状本体部の任意の位置に形成されるものである請求項１ないし６のいずれか１項に記載の農業用支柱抜取具。
【請求項８】
前記係止部と前記てこ部材の前記係合部との間に介在される持上部材をさらに備えた請求項１ないし７のいずれか１項に記載の農業用支柱抜取具。
【考案の詳細な説明】
【技術分野】
【０００１】
この考案は農業用支柱を簡単に抜去することができる農業用支柱抜取具に関する。
【背景技術】
【０００２】
トマトやキュウリ等の比較的背が高くなる作物には支柱を立設して栽培される。この種の支柱としてはアルミ等の金属棒に、ビニル樹脂等を被膜させたものが広く多用されている。支柱を背の高い作物に添設して使用するには、安定のために地中深く差し込み支柱を埋設させる必要がある。
【０００３】
栽培が終わるとこの種の農業用支柱は再使用のために一旦抜き取られ保管されることが多いのであるが、いったん地中深くに埋入された細い支柱を抜き取るには大きな労力を要する一方において、多数の支柱が使用されており、作業者にとってはこの支柱抜取作業は極めて煩雑であった。
【０００４】
従来では花等を栽培する園芸場で花壇を保護する目的でネットを地面と平行に張設する際に用いた支柱を抜く杭抜き器が提案されている（特許文献１参照）。しかしながら、背の高い野菜等に添設して使用される長尺の支柱を抜き取る器具は提案されていない。
【考案の開示】
【考案が解決しようとする課題】
【０００５】
この考案はこのような状況に鑑み提案されたもので、簡易な構成で、農業用支柱の抜き取り作業を迅速かつ容易に行うことができる農業用支柱抜取具を提供することを目的とする。
【課題を解決するための手段】
【０００６】
すなわち、請求項１の考案は、係止部を有する農業用支柱に沿ってその側方に配置される支点受け部を有する支点受け部材と、前記支点受け部材の支点受け部に支承される支点部を備えかつ先端部に前記支柱の係止部に係合する係合部を有するてこ部材とからなることを特徴とする農業用支柱抜取具に係る。
【０００７】
また、請求項２の考案は、前記係止部が係止突部を有する係止部材を前記支柱に固着することによって形成されている請求項１に記載の農業用支柱抜取具に係る。
【０００８】
さらに、請求項３の考案は、前記支点受け部材が棒状本体部を有し、下部に地面への差込部と固定板部を有する請求項１又は２に記載の農業用支柱抜取具に係る。
【０００９】
請求項４の考案は、前記支点受け部材が複数の支点受け部を有する請求項１ないし３のいずれか１項に記載の農業用支柱抜取具に係る。
【００１０】
請求項５の考案は、前記てこ部材の係合部が二股部よりなる請求項１ないし４のいずれか１項に記載の農業用支柱抜取具に係る。
【００１１】
請求項６の考案は、前記てこ部材が後端部に開口部を有する筒状部材からなり、前記支柱の立設時に支柱上端を打ち込み可能に構成されている請求項１ないし５のいずれか１項に記載の農業用支柱抜取具に係る。
【００１２】
請求項７の考案は、前記てこ部材が直棒状本体部を有し、前記支点部が前記棒状本体部の任意の位置に形成されるものである請求項１ないし６のいずれか１項に記載の農業用支柱抜取具に係る。
【００１３】
請求項８の考案は、前記係止部と前記てこ部材の前記係合部との間に介在される持上部材をさらに備えた請求項１ないし７のいずれか１項に記載の農業用支柱抜取具に係る。
【考案の効果】
【００１４】
請求項１の考案に係る農業用支柱抜取具によれば、係止部を有する農業用支柱に沿ってその側方に配置される支点受け部を有する支点受け部材と、前記支点受け部材の支点受け部に支承される支点部を備えかつ先端部に前記支柱の係止部に係合する係合部を有するてこ部材とからなることを特徴とすることから、簡易な構成で、農業用支柱の抜き取り作業を迅速かつ容易に行うことができる。
【００１５】
また、請求項２の考案に係る農業用支柱抜取具によれば、前記係止部が係止突部を有する係止部材を前記支柱に固着することによって形成されていることから、農業用支柱を迅速かつ容易に作業を行うことができる。
【００１６】
さらに、請求項３の考案に係る農業用支柱抜取具によれば、前記支点受け部材が棒状本体部を有し、下部に地面への差込部と固定板部を有することから、簡易な構成で支点受け部材を固定することができ、確実に農業用支柱を抜くことができる。
【００１７】
請求項４の考案に係る農業用支柱抜取具によれば、前記支点受け部材が複数の支点受け部を有することから、支柱あるいは作業者に対応して抜き取り作業を多様に行うことができる。
【００１８】
請求項５の考案に係る農業用支柱抜取具によれば、前記てこ部材の係合部が二股部よりなることから、簡易な構成で確実にてこ部材の係合部と係止部材の係止部を係合することができる。
【００１９】
請求項６の考案に係る農業用支柱抜取具によれば、前記てこ部材が後端部に開口部を有する筒状部材からなり、前記支柱の立設時に支柱上端を打ち込み可能に構成されていることから、抜取作業ばかりでなく支柱の立設時にも器具を使用でき、力が入りやすく地面への打ち込みを簡単かつ確実にできる。
【００２０】
請求項７の考案に係る農業用支柱抜取具によれば、前記てこ部材が直棒状本体部を有し、前記支点部が前記棒状本体部の任意の位置に形成されるものであることから、支点と力点の距離を自由に変えることができ、作業の多様性に対応できる。
【００２１】
請求項８の考案に係る農業用支柱抜取具によれば、前記係止部と前記てこ部材の前記係合部との間に介在される持上部材をさらに備えたものであることから、地中深くに差し込まれた農業用支柱を二段階で抜くことができ、作業の確実性を図ることができる。
【考案を実施するための最良の形態】
【００２２】
以下添付の図面に従ってこの考案を詳細に説明する。
図１はこの考案の農業用支柱抜取具の一実施例を表す側面図、図２は図１の農業用支柱抜取具による支柱の抜取状態を表す側面図、図３は支点受け部材とてこ部材の要部の斜視図、図４はてこ部材と係止部材が係合している状態の要部の斜視図、図５はてこ部材の筒状部材で支柱を立設する状態の断面図、図６は同じく筒状部材で支柱頭部を打ち込む状態の断面図、図７は持上部材をてこ部材と係止部材との間に介在させた状態の斜視図、図８はこの考案の農業用支柱抜取具の他の実施例を表す斜視図、図９はこの考案の農業用支柱抜取具の別の実施例の斜視図、図１０はさらにこの考案の別の実施例を表す斜視図、図１１はさらにこの考案の異なった実施例を表す斜視図である。
【００２３】
図１に示し、請求項１の考案として規定したように、この考案の農業用支柱抜取具１０は、係止部１１を有する農業用支柱Ｓに沿ってその側方に配置される支点受け部２１を有する支点受け部材２０と、前記支点受け部材２０の支点受け部２１に支承される支点部３１を備えかつ先端部に前記支柱Ｓの係止部１１に係合する係合部３２を有するてこ部材３０とから構成される。支点受け部材２０の支点受け部２１に支承されるてこ部材３０の支点部３１はてこの原理での支点であり、てこ部材３０の後部３９が力点、係合部３２が作用点となる。図２に示すように、力点であるてこ部材３０の後部３９を下方に押すことで、作用点である係合部３２に係止部１１を上方に押し上げる方向へ力が発生し、係止部１１を有する支柱Ｓが持ち上げられ地面Ｇから抜き取ることができる。
【００２４】
なお、請求項２の考案として規定しかつ図示のように、前記係止部１１が係止突部１３を有する係止部材１２を支柱Ｓに固着することによって形成されており、該係止突部１３を介して支柱Ｓを持ち上げる構成になっている。係止部材１２を支柱Ｓに固着する方法としては、例えば木ねじ等を用いることが可能である。また、支柱Ｓは何度も繰り返し使われることが多いことから、一度固着してしまえば、その後何度でもすることができ、手間を省くことができる。
【００２５】
また、請求項３の考案として規定しかつ図示したように、支点受け部材２０が棒状本体部２２を有し下部に地面への差込部２５と固定板部２６を有する構成とすることによって、より簡便でかつ安定した抜取作業を行うことができる。すなわち、支柱Ｓを地面Ｇから抜き取る際に、てこ部材３０の後端部を下方に押し下げると支点受け部２１に下向きの力が加わり、支点受け部材２０が不安定になってしまうのであるが、上の構成とすることによってこれを防ぐことができる。また、この際、差込部２５を地面Ｇに差し込み固定板部２６を足で踏むことにより、力を込めることなく簡単に支点受け部材２０を固定することができる。
【００２６】
図３に図示したように、この実施例では、てこ部材３０の両側に突設された突起状の支点部３１，３１を、正面視倒コ字状の両側に設けられた鉤状の支点受け部２１，２１によって支承担持している。鉤状の支点受け部２１は側面視略Ｇ字状でてこ部材３０を動かしても支点部３１が容易に外れない構成となっている。
【００２７】
また、図３に図示のように、この実施例では、請求項５の考案として規定するように、てこ部材３０の係合部３２が二股部３３により形成されており、簡易な構成で係止部材１２と係合することができる。図４はてこ部材３０の係合部３２が係止部材１２の係止突部１３と係合している状態を表す図であるが、二股部３３より形成される係合部３２は支柱Ｓの係止部１１、ここでは係止部材１２の両側の係止突部１３，１３を挟み込むように係合される。
【００２８】
図５及び図６は、支柱Ｓの立設時に支柱上端ＳＵを打ち込む状態を表している。すなわち、この実施例では、請求項６の考案として規定したように、前記てこ部材３０が後端部３９に開口部３８を有する筒状部材３７からなり、前記支柱Ｓの立設時に支柱上端ＳＵを打ち込み可能に構成したものである。図示のように、筒状部材３７からなるてこ部材３０をその開口部３８から支柱Ｓの上部に挿入し、該てこ部材３０を上下に動かし支柱Ｓの上端ＳＵを打ち付けることで、大きな力をかけることなく簡略に支柱Ｓを地面に打ち込む立設することができる。なおこの場合において、支柱Ｓを傷めることなく打ち込むために、支柱Ｓの上端ＳＵには金属キャップ部材４０等を取り付けることが好ましい。
【００２９】
次に図７について説明すると、この例は、請求項８の考案として規定したように、前記係止部１１と前記てこ部材３０の係合部３２との間に介在される持上部材５０をさらに備えたものである。比較的長め支柱Ｓである場合あるいはその係止部１１や支点受け部材２０の係合部３２との高さの関係で、抜き高さが合わないときにこの持ち上げ部材５０を介在させることによって、簡単に支柱Ｓを抜き取ることができる。図７の持上部材５０に関する符号５１は持上本体部、５２は支柱Ｓの係止部１１に係着する持上本体上部係着部、５３はてこ部材３０の係合部３２と係合する持上本体下部係合部、５４は把手部を表す。
【００３０】
さらに別の実施例を説明する。図８に図示した実施例は、請求項７の考案として規定したように、てこ部材７０が棒状本体部７５を有し、前記支点部７１が棒状本体部７５の任意の位置に形成されるように構成したものである。この例のてこ部材７０によれば、支点と作用点の距離を任意に変えられ、これによって簡単な構成で様々な長さ又は重さの支柱Ｓを抜き取ることができる。符号７２は係合部である。また、図８の支点受け部材８０の支点受け部８１は棒状本体部８２の上端に前記てこ部材７０の棒状本体部７５が挿入保持可能な円形に形成されている。符号８５は差込部、８６は固定板部で、先の実施例で説明したと同様のものである。
【００３１】
図９ないし図１１は、請求項４の考案として規定したところの、支点受け部材が複数の支点受け部を有する構成としたものである。図９の支点受け部材９０は棒状本体部９３の先端と中程に円形の２つの支点受け部９１，９２を形成したものである。符号９５は差込部、９６は固定板部で、符号７０は先の実施例で説明したてこ部材である。複数の支点受け部９１，９２を有することで、支柱Ｓ及びその係止部１１との位置に対する適応性が大きくなり、容易に支柱Ｓを抜き取ることが可能となる。
【００３２】
図１０の支点受け部材１００は棒状本体部１０３に３つの突起形状の支点受け部１０１Ａ，１０１Ｂ，１０１Ｃを形成したものである。符号１０５は差込部、１０６は固定板部で、符号１１０はてこ部材で、１０１はその支点部、１０２は係合部である。同様に、図１１の支点受け部材１２０は２本の棒状本体部１２３の間に３つの支点受け部１２１Ａ，１２１Ｂ，１２１Ｃをはしご状に形成したものである。符号１２５は差込部、１２６は固定板部で、符号１１０は前記したてこ部材である。
【図面の簡単な説明】
【００３３】
【図１】この考案の農業用支柱抜取具の一実施例を表す側面図である。
【図２】図１の農業用支柱抜取具による支柱の抜取状態を表す側面図である。
【図３】支点受け部材とてこ部材の要部の斜視図である。
【図４】てこ部材と係止部材が係合している状態の要部の斜視図である。
【図５】てこ部材の筒状部材で支柱を立設する状態の断面図である。
【図６】同じく筒状部材で支柱頭部を打ち込む状態の断面図である。
【図７】持上部材をてこ部材と係止部材との間に介在させた状態の斜視図である。
【図８】この考案の農業用支柱抜取具の他の実施例を表す斜視図である。
【図９】この考案の農業用支柱抜取具の別の実施例の斜視図である。
【図１０】さらにこの考案の別の実施例を表す斜視図である。
【図１１】さらにこの考案の異なった実施例を表す斜視図である。
【符号の説明】
【００３４】
１２  係止部材
２０  支点受け部材
３０  てこ部材
５０  持上部材
Ｓ  支柱
【図１】
0003148407.tif 000003
【図２】
0003148407.tif 000004
【図３】
0003148407.tif 000005
【図４】
0003148407.tif 000006
【図５】
0003148407.tif 000007
【図６】
0003148407.tif 000008
【図７】
0003148407.tif 000009
【図８】
0003148407.tif 000010
【図９】
0003148407.tif 000011
【図１０】
0003148407.tif 000012
【図１１】
0003148407.tif 000013